(57)【要約】【課題】メモリカードの予備記憶部を利用してメモリカードに新しい用途を付加するメモリカード用特殊機能付きリードライト装置を提供する。【解決手段】  パーソナルコンピューターに転送する形式にするための変換手段２と、前記変換手段２に接続したＳＭコネクタ３と、ＵＳＢコネクタ４と、前記変換手段２の制御モードをＵＳＢ接続のリードライトモードＳＷ１−（L）又はＵＳＢ接続のキーボードモードＳＷ１−（H）に切替える第１の制御モード切替えスイッチＳＷ１と、前記変換手段２の制御モードを通常のリードライトモードＳＷ２−（L）又は特殊データのリードライトモードＳＷ２−（H）に切替える第２の制御モード切替えスイッチＳＷ２とを設け、これら第１及び第２の制御モード切替えスイッチＳＷ１，ＳＷ２を操作することにより、ＳＭコネクタ３のスロットに挿入したＳＭ５の特殊データ領域に記録された特殊データのリードライトを行う。【選択図】  図１
2005267054.tif 000002
【特許請求の範囲】
【請求項１】
メモリカードに設けられている予備記憶部の一部を特殊データ書き込み領域にし、その特殊データ書き込み領域を通常は使用禁止とし、必要に応じてその特殊データ書き込み領域への特殊データの書き込み、読み出しを可能にしたことを特徴とするメモリカード用特殊機能付きリードライト装置。
【請求項２】
パーソナルコンピューターに転送する形式にするための変換手段と、前記変換手段に接続したメモリカードコネクタと、ＵＳＢコネクタと、前記変換手段の制御モードをＵＳＢ接続のリードライトモードＳＷ１−（L）又はＵＳＢ接続のキーボードモードＳＷ１−（H）に切替える第１の制御モード切替えスイッチと、前記変換手段の制御モードを通常のリードライトモードＳＷ２−（L）又は特殊データのリードライトモードＳＷ２−（H）に切替える第２の制御モード切替えスイッチとを設け、これら第１及び第２の制御モード切替えスイッチを操作することにより、制御モードを切替えてカードコネクタに接続したメモリカードの通常のリードライト又は予備記憶部の特殊データ書き込み領域に記録された特殊データをリードライトすることを特徴とするメモリカード用特殊機能付きリードライト装置。
【発明の詳細な説明】
【技術分野】
【０００１】
本発明は、フラッシュメモリカード（スティック状のものも含む）に用意されている予備記憶部へ特殊データを書込み又は読み出しを行うことも出来るようにしたフラッシュメモリカード用特殊機能付きリードライト装置に関するものである。
【背景技術】
【０００２】
現在、デジタルカメラをはじめ情報機器に用いられているコンパクトフラッシュ（登録商標）（以下、ＣＦという）、マイクロドライブ（登録商標）（以下、ＭＤと言う）、スマードメディア（登録商標）（以下、ＳＭという）、メモリースティック（登録商標）（以下、ＭＳという）、ＳＤカード、マルチメディアカード（登録商標）（以下ＭＭＣという）等のフラッシュメモリカード（以下、単にメモリカードという）には、書換えを繰り返すことによって発生する不良を想定して、データ記憶部にはユーザー使用可能の主記憶部の外に数ブロック単位の予備記憶部が用意されていて、ユーザー使用可能の主記憶部のブロックに不良が発生した場合、ブロック単位で、不良の発生した個所を含むブロックを前記予備記憶部のブロックに不良マーク“００”を付して置き換え、そのブロックを使用禁止としている。
【特許文献１】実用新案登録第3074562号公報
【発明の開示】
【発明が解決しようとする課題】
【０００３】
本発明は、メモリカードの予備記憶部を利用してメモリカードに新しい用途を付加するメモリカード用特殊機能付きリードライト装置を提供することを目的とするものである。
【課題を解決するための手段】
【０００４】
本発明は上記の課題を解決するためになされたもので、第１の発明は、メモリカードに設けられている予備記憶部の一部を特殊データ書き込み領域にし、その特殊データ書き込み領域を通常は使用禁止とし、必要に応じてその特殊データ書き込み領域のデータを読み書き可能にしたことを特徴とするメモリカード用特殊機能付きリードライト装置である。
【０００５】
第２の発明は、パーソナルコンピューターに転送する形式にするための変換手段と、前記変換手段に接続したメモリカードコネクタと、USBコネクタと、前記変換手段の制御モードをＵＳＢ接続のリードライトモードＳＷ１−（L）又はUSB接続のキーボードモードＳＷ１−（H）に切替える第１の制御モード切替えスイッチと、前記変換手段の制御モードを通常のリードライトモードＳＷ２−（L）又は特殊データのリードライトモードＳＷ２−（H）に切替える第２の制御モード切替えスイッチとを設け、これら第１及び第２の制御モード切替えスイッチを操作することにより制御モードを切替えて、カードコネクタに接続したメモリカードの通常のリードライト又は予備記憶部の特殊データ書き込み領域に記録された特殊データをリードライトすることを特徴とするメモリカード用特殊機能付きリードライト装置である。
【発明の効果】
【０００６】
本発明によれば、通常はデータの書き込み、読み出しを禁止されている予備記憶部への特殊データのリードライトを第１及び第２切替えスイッチを操作して行うことができるので、セキュリティ分野に応用できる。
【０００７】
例えば従来、１つのＰＣを何人かで使用する場合、使用権限のある人にＩＤとパスワードを教えていた。この場合、パスワードを複雑にすると、覚えていられないので、メモに書いたりする為、パスワードの流出が問題になる。
【０００８】
本発明装置の出現により、メモリカードを複雑なパスワードのメモリとして使用することが可能となるため、一々ＰＣの使用権限のある人にパスワードを教える煩わしさが省け、パスワードを必要とする場合の利便さが増すという実益がある。なお、本発明装置は、通常は、ＵＳＢ接続のメモリカード用リードライト装置として利用することが出来る。
【実施例】
【０００９】
図１は、本発明の一実施例のブロック図で、１はＳＭリードライト装置、２はコンピュータ、ＲＯＭ及びカードインターフェイスを具備したＩＣチップから成る変換手段、３及び４は前記変換手段２に接続したＳＭコネクタ及びＵＳＢコネクタである。ＳＷ１，ＳＷ２は変換手段２に接続した２つの制御モード切替えスイッチで、一方に倒すとＬの信号を出力し、他方に倒すとＨの信号を出力するものである。５はＳＭ、６はＰＣである。
【００１０】
ＳＭリードライト装置１の動作用ソフトは、ＲＯＭに格納されていて、このソフトが、電源立上り時に、制御モード切替えスイッチＳＷ１とＳＷ２の値（ＬかＨ）を読取り、読取った値により、各種モードで動作させるようになっている。
【００１１】
第１の制御モード切替えスイッチＳＷ１を動作させることにより、下記２つのモードに切替える。
ＳＷ１−（Ｌ）：ＵＳＢ接続のＳＭリードライトモード
ＳＷ１−（Ｈ）：ＵＳＢ接続のキーボードモード
また、第２の制御モード切替えスイッチＳＷ２を動作させることにより、前記ＳＷ１−（Ｌ）：ＵＳＢ接続のＳＭリードライトモード時に、下記２つのモードに切替えることができる。
ＳＷ２−（Ｌ）：従来のＳＭリードライトモード
ＳＷ２−（Ｌ）：特殊機能のＳＭリードライトモード
【００１２】
図２は、制御モード切替えスイッチＳＷ１，ＳＷ２を操作した時のモード切替え動作用ソフトのフローチャートを示すもので、両スイッチを切替えると次に示すような制御モードとなる。
（Ａ）２つの制御モード切替えスイッチをＳＷ１−（Ｌ），ＳＷ２−（Ｌ）とした場合      は、従来と同格のＳＭリードライトモードとなり、ユーザー使用可能主記憶部をメ      モリカードの記憶部としてＰＣ６に認識させる。即ち、ＳＭリードライト装置１は      現在、量販店等で販売されている通常のＵＳＢ接続のＳＭリードライト装置と同様      のリードライトを行うものとなる。例えば、３２ＭＢのＳＭをＳＭコネクタ３のス      ロットに挿入すると、３２ＭＢの容量のメモリカードとして認識される。
（Ｂ）２つの制御モード切替えスイッチをＳＷ１−（Ｌ），ＳＷ２−（Ｈ）とした場合      は、特殊機能のＳＭリードライトモードとなり、予備記憶部をメモリカードの記憶      部としてＰＣ６に認識させ、予備の記憶部が数ＫＢの容量のメモリカードとして認      識され、ＳＭリードライト装置１は通常のＵＳＢ接続のＳＭリードライト装置と同      じ動作をする。即ち、（Ｂ）モードとした場合は、予備記憶部にリードライト可能      になる。        
（Ｃ）制御モード切替えスイッチをＳＷ１−（Ｈ）とした場合は、ＵＳＢ接続のキーボ      ードモードとなる。即ちＰＣ６からは、通常のＵＳＢ接続のキーボードとして認識      される。
【００１３】
ここで通常ＳＭは、各ブロックのData Status Area（５１６バイト）に正常なブロックの場合は“FFh”が、不良なブロックの場合は不良ブロックマーク“００h”が書き込まれており、Data Status Area（５１６バイト）の値によって正常なブロックか否かを判断している。
【００１４】
又、各ブロックにはData Status Area（５１６バイト）の他にReserved Area（５１２〜５１５バイト）があり、このReserved Areaは、将来の機能拡張のために用意された領域であり、現在は未使用領域となっており、この領域は、“FFFFFFFFｈ”の固定値としている。
【００１５】
従来のＳＭリードライト装置では、このReserved Area（５１２〜５１５バイト）はチェックせず、Data Status Area（５１６バイト）のみをチェックし、不良ブロックマークの有無でブロックが不良かどうかを判断している。
【００１６】
本発明では、先ず予備記憶部の任意のブロックのData Status Area（５１６バイト）に不良ブロックマークを故意に書き込み、実際にユーザー使用の主記憶部で不良ブロックとなった場合に、そのブロックと交換されるのを防ぎ、Reserved Area（５１２〜５１５バイト）に識別マーク“０１２３４５６７”を書き込んで、故意に不良にしたブロックか、本物の不良ブロックかを判断することができる。この処理は前記（Ｂ）モードとした時に行われ、（Ｂ）モードとした場合の動作を次に説明する。
【００１７】
まず、ＳＭ５をＳＭコネクタ３のスロットに挿入すると、図３に示すフローチャートのように故意に作成した不良ブロックを検索し、見つからなかった場合は、任意の１ブロックのData Status Area（５１６バイト）に、“００”、Reserved Area（５１２〜５１５バイト）に“０１２３４５６７”を書き込んで、１ブロック分の容量（０．５ＫＢ）のドライブとしてＰＣ６に伝える。故意に作成したブロックが見つかったら、０．５ＫＢ容量のメモリカードとしてＰＣ６に伝える。
【００１８】
以上のように、（Ｂ）モードとすることによりＳＭ５の予備記憶部を必要に応じて通常のユーザー使用可能記憶部として使用できる。本実施例以外の通常のＳＭリードライト装置では、予備記憶部には故意に不良ブロックとしたブロックを読み書きすることができないので、ＳＭ５の予備記憶部に記憶させた特殊データを秘匿することができる。
【００１９】
次に（Ｃ）の制御モードとした場合の動作を説明する。
【００２０】
まず、前記（Ｂ）の制御モードにおいて、例えば、ＩＤとパスワードが記載された２つのテキストファイルを作成し、そのファイルに夫々ＰＣ６へのログインに使用するＩＤとパスワードを書き込み、それらのファイルを上記で作成した不良ブロックに書き込んでおく。
【００２１】
例えば、前述のように（Ｂ）モードとした時に、ＳＭ５の予備記憶部へのリードライトが可能になり、ＰＣ６には、０．５ＫＢ容量のリムーバブルメディアドライブとして伝えられるので、ユーザは、下記の手順でパスワード等の特殊データを書き込むことができる。
【００２２】
ユーザーは、先ずＰＣ６においてテキストエディタ等を利用して、下記ファイルを作成する。
ファイル名：password.txt
ファイル内容：ABCDEFGH01234567
【００２３】
次に作成したファイルを、０．５ＫＢ容量のリムーバブルメディアドライブにコピーする。
【００２４】
ＳＭリードライト装置１は、上記コピーされたファイルを特殊データ書き込み領域内のData areaに書き込む。その時に、通常のData areaに書きこむ時と同様にＥＣＣの計算も行い結果を記録する。これにより、特殊データ書きこみ領域内に書かれたデータの信頼性も確保される
【００２５】
次に（Ｃ）の制御モードにしてＰＣ６にログインする場合は、
（１）前記（Ｃ）の制御モードにＳＭリードライト装置１の制御モードを替え、ＰＣ６を起動させた後、ログイン画面が出たら、ＳＭ５を装置１に挿入する。装置１は、ＳＭ５の挿入を検出し、挿入されたＳＭ５が、故意に不良ブロックを作成したメディアかどうかを判断する。（図３）
【００２６】
故意に不良を作成したメディアと判断できたら、ＩＤとパスワードが記載された２つのテキストファイルを読込む。
【００２７】
そしてＰＣ６はパスワード待ちの状態になっているので、Ｔａｂ、ＩＤ、Ｔａｂ、パスワード、ＥｎｔｅｒのキーコードをＰＣ６へ送信し、ログインが完了する。
【００２８】
ここで、故意に不良を作成したメディアと判断できなかった場合は、何も動作しない。
【００２９】
また、ＰＣ操作を途中で終え、一時的にＰＣ６から離れる場合、他人にＰＣ６を操作されないようにＳＭ５を装置１から抜く。すると装置１は、ＳＭ５が引抜かれたことを検知し、ＰＣ６をロックさせるために以下の操作を行う。
【００３０】
（２）具体的には、例えばＰＣ６のＯＳがマイクロソフト社のＷｉｎｄｏｗｓＮＴ（登録商標）、Ｗｉｎｄｏｗｓ２０００（登録商標）、ＷｉｎｄｏｗｓＸＰ（登録商標）の場合、ＰＣのロック機能の標準のコマンド、Ｃｔｒｌ＋Ａｌｔ＋Ｄｅｌ、Ｅｎｔｅｒのキーコードを送信し、ＰＣ６をロックする。
【００３１】
ＰＣがロックされている間は、ＰＣはログインの時と同様、パスワード待ちの状態になっているので、再度、ＰＣ６に戻って操作を続ける場合は、ＳＭリードライト装置１のＳＭコネクタ３のスロットにＳＭ５を挿入すると、前記（１）の動作を行い、これにより、再度ログインが完了し、ロック機能が解除される。
【図面の簡単な説明】
【００３２】
【図１】本発明の一実施例のブロック図。
【図２】モード切替え動作用ソフトのフローチャート。
【図３】ＳＭ５をＳＭコネクタのスロットに挿入した時のフローチャート。
【符号の説明】
【００３３】
１    ＳＭリードライト装置
２    変換手段
３    ＳＭコネクタ
４    ＵＳＢコネクタ
５    ＳＭ
６    ＰＣ
【図１】
2005267054.tif 000003
【図２】
2005267054.tif 000004
【図３】
2005267054.tif 000005